【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
中空の管体の内側に備えられたタンクにワックスが収容される本体と、該本体の一端部に装着され、ホールが形成された彫刻用チップと、電源の供給によって発熱される発熱体と、前記本体と電気接続されるように電線によって連結された電気ワックス彫刻刀において、
前記本体は、分離/結合が可能な複数個の室から構成され、少なくとも一つの室には、彫刻用チップ結合部が形成されて、前記タンクと彫刻用チップ結合部とを連結して管路を形成する管体が備えられたことを特徴とする電気ワックス彫刻刀。
【請求項２】
前記本体は、一端部に彫刻用チップ結合部と連結される出口が形成され、他端部は流入口が形成される管体を持つ第１室と、
該第１室の管体の流入口に連結される吐出口が形成されて、内側にワックスが収容されるタンクを持つ第２室と、が備えられたことを特徴とする請求項１記載の電気ワックス彫刻刀。
【請求項３】
前記発熱体は、前記第１室の出口側または前記第２室の吐出口側の中で少なくとも何れか一側に選択的に配置されたことを特徴とする請求項２記載の電気ワックス彫刻刀。
【請求項４】
前記出口、流入口、吐出口の管路及びタンク底面部の中で少なくとも何れか一側には、溶融されたワックスに含有された異物質をこすフィルターがさらに含まれることを特徴とする請求項２記載の電気ワックス彫刻刀。
【請求項５】
前記出口と流入口側の間の管路には、前記動作ボタンの動作によって管路を選択的に開放するか、または閉鎖するバルブが備えられたことを特徴とする請求項２記載の電気ワックス彫刻刀。
【請求項６】
前記バルブは、前記動作ボタンと電気接続されたソレノイドであることを特徴とする請求項５記載の電気ワックス彫刻刀。
【請求項７】
前記本体又はキャップ部に電気ワックス彫刻刀の傾いた勾配を感知して空気流入ホールに溶融ワックスが漏れるのを塞ぎ止める勾配感知部を備えられることを特徴とする、求項２に記載の電気ワックス彫刻刀。
【請求項８】
前記流入口と前記吐出口の少なくとも何れか一側には、前記本体の第１、２室を分離時に前記流入口または前記吐出口を通じて溶融されたワックスが排出されることを遮断する第２バルブがさらに備えられたことを特徴とする請求項２記載の電気ワックス彫刻刀。
【請求項９】
前記第２バルブは、前記吐出口の内周面に円周方向に形成された少なくとも二つ以上の突起部と、
これら突起部と前記流入口に向いた前記吐出口側に配置された弾性部材と、
一側には前記弾性部材に支持されるフランジ部が備えられ、他側には前記フランジ部の中心部から管軸方向に延長設置されて前記流入口に向いて流入された作動ピンを持つ作動部材と、
前記流入口側に配置されて、前記作動ピンの一端部が前記フィルターに支持されることを特徴とする請求項８記載の電気ワックス彫刻刀。
【請求項１０】
前記第１室には、前記発熱体の温度を感知して電源が供給されることを遮断する温度感知部が備えられたことを特徴とする請求項２記載の電気ワックス彫刻刀。
【請求項１１】
中空の内側にワックスが収容されるタンクを持つ本体と、該本体の一端部に装着される彫刻用チップの電源の供給によって発熱される発熱体と、該発熱体と電気接続されるように電線によって連結された電気ワックス彫刻刀において、
前記本体は、前記彫刻用チップが結合される彫刻用チップ結合部が本体に一体に形成されて、その内側にワックスが入るタンクが装着され、前記結合部と前記タンクとを連結して管路を形成する管体が備えられたことを特徴とする電気ワックス彫刻刀。
【請求項１２】
前記発熱体は、前記管体の長さ方向に対して少なくとも何れか一側に選択的に配置されたことを特徴とする請求項１１記載の電気ワックス彫刻刀。
【請求項１３】
前記発熱体は、前記管体のタンク側と彫刻用チップ側にそれぞれ配置されたことを特徴とする請求項１１記載の電気ワックス彫刻刀。
【請求項１４】
前記管体、前記出口側の何れか一側、または前記タンクの底面の中で少なくとも何れか一つには、前記ワックスに含有された異物質をこすフィルターがさらに配置されたことを特徴とする請求項１１記載の電気ワックス彫刻刀。
【請求項１５】
前記管体の管路には、前記動作ボタンの動作によって管路を選択的に開放するか、または閉鎖するバルブがさらに備えられたことを特徴とする請求項１１記載の電気ワックス彫刻刀。
【請求項１６】
前記バルブは、前記動作ボタンと電気接続されたソレノイドバルブであることを特徴とする請求項１５記載の電気ワックス彫刻刀。
【請求項１７】
前記動作ボタンの動作によって生成された空気圧を管路又はタンク内部に送って動作することを特徴とする請求１１項記載の電気ワックス彫刻刀。
【請求項１８】
前記動作ボタンの動作によって空気流入ホールの空気吸入を制御することで動作することを特徴とする請求項１１記載の電気ワックス彫刻刀。
【請求項１９】
前記本体又はキャップ部に電気ワックス彫刻刀の傾いた勾配を感知して空気流入ホールに溶融ワックスが漏れるのを塞ぎ止める勾配感知部を備えることを特徴とする、請求項１１に記載の電気ワックス彫刻刀。
【請求項２０】
前記出口と隣接した前記管体の管路側には、温度を感知して電源の供給を中断させる温度感知部が備えられたことを特徴とする請求項１１記載の電気ワックス彫刻刀。
【請求項２１】
中空体が備えられた内側にワックスが収容されるタンクを持つ本体と、該本体の一端部に装着される彫刻用チップと、電源の供給によって発熱される発熱体と、該発熱体と電気接続されるように電線によって連結された電気ワックス彫刻刀において、
前記本体は、外側面に動作ボタンが備えられて、該動作ボタンが設置された内側には、動作ボタンによって動作されるバルブが配置され、前記彫刻用チップと前記タンクの間には、一側は彫刻用チップと管路を形成し、他方はタンクの出口側と管路を形成するバルブが動作ボタンの動作によって動作されるように装着されたことを特徴とする電気ワックス彫刻刀。
【請求項２２】
前記動作ボタンの動作によって生成された空気圧を管路又はタンク内部に送って動作することを特徴とする請求２１項記載の電気ワックス彫刻刀。
【請求項２３】
前記動作ボタンの動作によって空気流入ホールの空気吸入を制御することで動作することを特徴とする請求項２１記載の電気ワックス彫刻刀。
【請求項２４】
前記本体又はキャップ部に電気ワックス彫刻刀の傾いた勾配を感知して空気流入ホールに溶融ワックスが漏れるのを塞ぎ止める勾配感知部を備えることを特徴とする、請求項２１に記載の電気ワックス彫刻刀。
【請求項２５】
前記本体の他端部には、空気調節バルブが備えられたキャップが装着され、前記タンクは、前記キャップと共に一体で分離されるように備えられたことを特徴とする請求項２１記載の電気ワックス彫刻刀。
【請求項２６】
前記タンクは、その一端部と他端部がそれぞれ前記キャップと前記バルブから分離可能に設置され、出口側である他端部には異物質をこすフィルターが配置されて、内部には一回用ワックスが入っていることを特徴とする請求項２１記載の電気ワックス彫刻刀。
【請求項２７】
前記発熱体は、前記彫刻用チップ、前記バルブ、そして前記タンクの出口側の中で少なくとも何れか一方に配置されたことを特徴とする請求項２１記載の電気ワックス彫刻刀。